(57)【要約】      （修正有）【課題】視覚的な装飾効果を高めることができ且つ軽量なるクス玉を提供する。【解決手段】左右一対の半クス玉基体で中空の球状体に形成され、一対の半クス玉基体の上端をヒンジで回転自在に連結して、各半クス玉基体を左右に開閉自在として構成する。各半クス玉基体は、複数の竹骨材を半球状に骨組して骨組体を形成し、骨組体の内面及び外面に補強紙を貼着して構成されており、半クス玉基体の表面を、装飾材で装飾してなる。【選択図】図１
0003163487.tif 000002
【実用新案登録請求の範囲】
【請求項１】
左右一対の半クス玉基体で中空の球状体に形成され、
前記一対の半クス玉基体の上端をヒンジで回転自在に連結して、前記各半クス玉基体を左右に開閉自在として構成したクス玉であって、
前記各半クス玉基体は、
複数の竹骨材を半球状に骨組して骨組体を形成し、前記骨組体の内面及び外面に補強紙を貼着して構成されており、
前記半クス玉基体の表面を、装飾材で装飾してなることを特徴とするクス玉。
【請求項２】
前記装飾材は、
前記半クス玉基体の表面に貼着される、金色紙又は銀色紙であることを特徴とする請求項１に記載のクス玉。
【請求項３】
前記装飾材は、
前記半クス玉基体の表面に取付けられる、和紙花であることを特徴とする請求項１に記載のクス玉。
【請求項４】
前記和紙花は、
和紙にビスコーンレーヨンをラミネートした加工紙を、任意色に着色した後、折り畳んで単位紙となし、
この単位紙を複数枚重ねて中央を結束して結束部を形成するとともに、
前記結束部を中心に開紙して花弁状とされてなることを特徴とする請求項３に記載のクス玉。
【考案の詳細な説明】
【技術分野】
【０００１】
本考案は、左右一対の半クス玉基体を左右に開閉自在に構成したクス玉に関し、特に、各半クス玉基体の表面を特殊な和紙で作成した和紙花で装飾するクス玉に関するものである。
【背景技術】
【０００２】
一般に、運動会、記念式典及び祭等のイベントで使用されるクス玉は、左右一対の半クス玉基体で中空の球状体に形成され、各半クス玉基体を左右に開閉自在にしている。
この種のクス玉は、イベントを視覚的に盛り上げるため、一対の半クス玉基体の表面を装飾材（和紙花、金色紙等）で装飾している。
また、クス玉は、球状体の中空内に垂幕、装飾テープ及び紙吹雪等を収納し、各半クス玉基体を開状態にすることで、中空内から垂幕やテープあるいは紙吹雪等を開放する。
【０００３】
クス玉の技術として、特許文献１に開示する技術は、全体を球状に形成した中空体を二分割した左右一対の半体部材を有する。この半体部材は、ＦＲＰ等の合成樹脂により一体形成している。
しかしながら、特許文献１に開示する技術では、ＦＲＰ等の合成樹脂により左右一対の半体部材を形成しているので、クス玉が重くなり、クス玉を吊下げる構造等も複雑になるという問題がある。
【先行技術文献】
【特許文献】
【０００４】
【特許文献１】特開２００４−３３７２０５号公報
【考案の概要】
【考案が解決しようとする課題】
【０００５】
本考案が解決しようとする課題は、中空の球状体を形成する半クス玉基体の軽量化を図ることができ、各半クス玉基体の表面を特殊な和紙で作成した和紙花や金銀紙により装飾することで、視覚的な装飾効果を高めることができ且つ軽量なクス玉を提供することである。
【課題を解決するための手段】
【０００６】
請求項１に係る考案は、左右一対の半クス玉基体で中空の球状体に形成され、前記一対の半クス玉基体の上端をヒンジで回転自在に連結して、前記各半クス玉基体を左右に開閉自在として構成したクス玉であって、前記各半クス玉基体は、複数の竹骨材を半球状に骨組して骨組体を形成し、前記骨組体の内面及び外面に補強紙を貼着して構成されており、前記半クス玉基体の表面を、装飾材で装飾してなることを特徴とするクス玉に関する。
【０００７】
請求項２に係る考案は、前記装飾材は、前記半クス玉基体の表面に貼着される、金色紙又は銀色紙であることを特徴とする請求項１に記載のクス玉に関する。
【０００８】
請求項３に係る考案は、前記装飾材は、前記半クス玉基体の表面に取付けられる、和紙花であることを特徴とする請求項１に記載のクス玉に関する。
【０００９】
請求項４に係る考案は、前記和紙花は、和紙にビスコースレーヨンをラミネートした加工紙を、任意色に着色した後、折り畳んで単位紙となし、この単位紙を複数枚重ねて中央を結束して結束部を形成するとともに、前記結束部を中心に開紙して花弁状とされてなることを特徴とする請求項３に記載のクス玉に関する。
【考案の効果】
【００１０】
請求項１に係る考案によれば、左右一対の半クス玉基体で中空の球状体に形成され、前記一対の半クス玉基体の上端をヒンジで回転自在に連結して、前記各半クス玉基体を左右に開閉自在として構成したクス玉であって、前記各半クス玉基体は、複数の竹骨材を半球状に骨組して骨組体を形成し、前記骨組体の内面及び外面に補強紙を貼着して構成されており、前記半クス玉基体の表面を、装飾材で装飾してなるので、中空の球状体を形成する半クス玉基体を竹骨材及び補強紙で構成でき、クス玉の軽量化を図ることができ、クス玉を吊下げる構造も簡単にできる。
また、半クス玉基体の表面を補強紙で構成されているので、装飾材（和紙花、金色紙等）は、接着剤、取付紐を用いて容易に半クス玉基体の表面に設けることができる。
【００１１】
請求項２に係る考案によれば、前記装飾材は、前記半クス玉基体の表面に貼着される、金色紙又は銀色紙であるので、半クス玉基体の表面に接着剤を塗布し、又は金色紙（又は銀色紙）に接着剤を塗布するだけで、半クス玉基体の表面に金色紙（又は銀色紙）を貼着して、装飾することができるので、視覚的な装飾効果を向上できる。
【００１２】
請求項３に係る考案によれば、前記装飾材は、前記半クス玉基体の表面に取付けられる、和紙花であるので、和紙花に接着剤を塗布して半クス玉基体の表面に取付けることができ、又は和紙花を取付紐によって半クス玉基体の表面に取付けることができ、和紙花の取付けが容易である。
複数色の和紙花を複数用意して、半クス玉基体の表面に取付けることで、視覚的な装飾効果を向上できる。
【００１３】
請求項４に係る考案によれば、前記和紙花は、和紙にビスコースレーヨンをラミネートした加工紙を、任意色に着色した後、折り畳んで単位紙となし、この単位紙を複数枚重ねて中央を結束して結束部を形成するとともに、前記結束部を中心に開紙して花弁状とされてなるので、和紙花は、和紙にビスコースレーヨンをラミネートした加工紙であるから、時間が経過しても、花弁状の形状を崩すことなく（和紙花全体が萎むことなく）、装飾効果を維持できる。
加工紙（和紙にビスコースレーヨンをラミネートした加工紙）は、染料を用いて着色するとき、加工紙全体にわたって均一に着色できるので、和紙花の装飾効果を向上できる。
特に、加工紙をレマゾール染料を温水に溶解した水溶性染料によって着色すると、斑に着色されることなく、全体に均一に着色できる。
【図面の簡単な説明】
【００１４】
【図１】本考案に係るクス玉を示す図であって、左右一対の半クス玉基体の閉状態を示す正面図である。
【図２】本考案に係るクス玉を示す図であって、左右一対の半クス玉基体の開状態を示す正面図である。
【図３】左右一対の半クス玉基体を示す図であって、閉状態を示す正面図である。
【図４】左右一対の半クス玉基体を示す図であって、閉状態を示す上面図である。
【図５】左右一対の半クス玉基体を示す図であって、閉状態を示す下面図である。
【図６】左右一対の半クス玉基体を閉状態にするストッパ部材の具体的構成を示す拡大図である。
【図７】半クス玉基体を構成する骨組体を示す斜視図である。
【図８】半クス玉基体を示す図であって、（ａ）は骨組体全体に外側補強紙を貼った状態を示す外面斜視図、（ｂ）は外側補強紙の形状及び外側補強紙を骨組体に貼る状態を示す外面斜視図である。
【図９】半クス玉基体を示す図であって、内側補強紙を貼った状態を示す内面斜視図である。
【図１０】加工紙を着色する処理を示す図である。
【図１１】着色済加工紙を花弁状に成形する処理を示す図である。
【考案を実施するための形態】
【００１５】
本考案に係るクス玉について、図１乃至図１１を参照して説明する。
図１は本考案に係るクス玉を示す図であって、左右一対の半クス玉基体の閉状態を示す正面図である。図２は本考案に係るクス玉を示す図であって、左右一対の半クス玉基体の開状態を示す正面図である。図３は左右一対の半クス玉基体を示す図であって、閉状態を示す正面図である。図４は左右一対の半クス玉基体を示す図であって、閉状態を示す上面図である。図５は左右一対の半クス玉基体を示す図であって、閉状態を示す下面図である。図６は左右一対の半クス玉基体を閉状態にするストッパ部材の具体的構成を示す拡大図である。図７は半クス玉基体を構成する骨組体を示す斜視図である。図８は半クス玉基体を示す図であって、（ａ）は骨組体全体に外側補強紙を貼った状態を示す外面斜視図、（ｂ）は外側補強紙の形状及び外側補強紙を骨組体に貼る状態を示す外面斜視図である。図９は半クス玉基体を示す図であって、内側補強紙を貼った状態を示す内面斜視図である。図１０は加工紙を着色する処理を示す図である。図１１は着色済加工紙を花弁状に成形する処理を示す図である。
【００１６】
＜クス玉の構成＞
図１乃至図６において、クス玉（Ｘ）は、左右一対の半クス玉基体（１）、（２）、連結部材（３）、吊下げ部材（５）、ストッパ部材（６）、引張り紐（７）及び装飾材（８）を含んで構成される。このクス玉（Ｘ）は、図１及び図３に示すように、左右一対の半クス玉基体（１）、（２）によって中空の球状体に形成されている。
【００１７】
左右一対の半クス玉基体（１）、（２）は、図７乃至図９に示すように、中空の半球状に形成され、相互に開口側を突き合せることで、中空の球状体を構成している。
各半クス玉基体（１）、（２）は、図７乃至図９に示すように、半球状の骨組体（９）及び補強部材（１０）で構成されている。
骨組体（９）は、図７に示すように、複数の環状竹骨材（１１Ａ、１１Ｂ、１１Ｃ、１１Ｄ）及び複数の縦竹骨材（１２Ａ、１２Ｂ、１２Ｃ、・・・）で半球状に形成されている。
【００１８】
複数の環状竹骨材（１１Ａ、１１Ｂ、１１Ｃ、１１Ｄ）は、図７に示すように、竹線材を円形に成形して構成され、半球状の中心軸線（ａ）を中心として配置されている。
これら各環状竹骨材（１１Ａ、１１Ｂ、１１Ｃ、１１Ｄ）は、中心軸線（ａ）の延在方向（ｚ）に間隔を隔てて配置されている。
各環状竹骨材（１１Ａ、１１Ｂ、１１Ｃ、１１Ｄ）の直径は、図７に示すように、半球状の開口（ｂ）から頂点（ｔ）に向うに連れて、段々に縮径している。
また、半球状の開口を形成する環状竹骨材（１１Ａ）は、円周方向（ｐ）に間隔を隔てて複数の取付切込（１６）が形成されている。
【００１９】
複数本の縦竹骨材（１２Ａ、１２Ｂ、１２Ｃ、・・・・）は、図７に示すように、環状竹骨材（１１Ａ、１１Ｂ、１１Ｃ、１１Ｄ）の円周方向（p）に間隔を隔てて配置されている。
各縦竹骨材（１２Ａ、１２Ｂ、１２Ｃ、・・・・）は、円弧状に成形され、各環状竹骨材（１１Ａ、１１Ｂ、１１Ｃ、１１Ｄ）外側に配置されて、各環状竹骨材（１１Ａ、１１Ｂ、１１Ｃ、１１Ｄ）で支持されている。
また、各縦竹骨材（１２Ａ、１２Ｂ、１２Ｃ、・・・・）の両端側は、半球状の開口を形成する環状竹骨材（１１Ａ）に取付けられている。
各縦竹骨材（１２Ａ、１２Ｂ、１２Ｃ、・・・・）の両端側は、環状竹骨材（１１Ａ）の各取付切込（１６）内に差込まれている。また、各縦竹骨材（１２Ａ、１２Ｂ、１２Ｃ、・・・・）は、各環状竹骨材（１１Ａ、１１Ｂ、１１Ｃ、１１Ｄ）と交差する各部位において針金等により結束されている。
これにより、左右一対の半クス玉基体（１）、（２）の骨組体（９）は、複数の環状竹骨材（１１Ａ、１１Ｂ、１１Ｃ、１１Ｄ）及び複数本の縦竹骨材（１２Ａ、１２Ｂ、１２Ｃ、・・・・）を骨組することで半球状に形成されている。
【００２０】
補強部材（１０）は、図８及び図９に示すように、複数枚の外側補強紙（１３）及び複数枚の内側補強紙（１４）で構成されている。
複数枚の外側補強紙（１３）は、図８に示すように、半クス玉基体（１）、（２）の骨組体（９）外面に貼着され、複数枚の内側補強紙（１４）は、図９に示すように、半クス玉基体（１）、（２）の骨組体（９）内面に貼着されている。
【００２１】
複数枚の外側補強紙（１３）は、図８に示すように、骨組体（９）の各縦竹骨材（１２Ａ、１２Ｂ、１２Ｃ、・・・・）間に位置して、中心軸線（ａ）の延在方向（ｚ）に延設されている。各外側補強紙（１３）は、各縦竹骨材（１２Ａ、１２Ｂ、１２Ｃ、・・・・）及び各環状竹骨材（１１Ａ、１１Ｂ、１１Ｃ、１１Ｄ）に接着剤（糊等）によって貼着されている。
これにより、複数枚の外側補強紙（１３）は、図８に示すように、各半クス玉基体（１）、（２）の外面全体にわたって貼着されている。
【００２２】
複数枚の内側補強紙（１４）は、図９に示すように、骨組体（９）の各縦竹骨材（１２Ａ、１２Ｂ、１２Ｃ、・・・・）間に位置して、中心軸線（ａ）の延在方向（ｚ）に延設されている。各内側補強紙（１４）は、各環状竹骨材（１１Ａ、１１Ｂ、１１Ｃ、１１Ｄ）及び各外側補強紙（１３）に接着剤（糊等）によって貼着されている。
これにより、複数枚の内側補強紙（１４）は、図９に示すように、各半クス玉基体（１）、（２）の内面全体にわたって貼着されている。
【００２３】
上記構成の半クス玉基体（１）、（２）は、複数の環状竹骨材（１１Ａ、１１Ｂ、１１Ｃ、１１Ｄ）及び複数の縦竹骨材（１２Ａ、１２Ｂ、１２Ｃ、・・・）で骨組体（９）を構成し、更に、骨組体（９）内外面に複数枚の外側及び内側補強紙（１３）、（１４）を貼着して構成する。
これにより、各半クス玉基体（１）、（２）は、軽量で、頑丈な中空の半球状に形成される。
【００２４】
連結部材（３）は、図２及び図３に示すように、ヒンジ（以下、ヒンジ（３）と称する）で構成され、各半クス玉基体（１）、（２）の上端に配置されている。
ヒンジ（３）は、各半クス玉基体（１）、（２）の夫々に取付けられ、各半クス玉基体（１）、（２）を相互に回転自在として連結している。
これにより、左右一対の半クス玉基体（１）、（２）は、ヒンジを中心に回転することで、左右に開閉自在に構成されている。
【００２５】
吊下げ部材（５）は、図１乃至図４に示すように、複数本の吊下げ紐（２１）で構成されている。
複数本の吊下げ紐（２１）は、吊下げ紐輪部（２２）を形成して結ばれており、４本の吊下げ紐部（２３）を有している。
吊下げ部材（５）は、図１乃至図４に示すように、４本の吊下げ紐部（２３）を各半クス玉基体（１）、（２）の上端側に取付けている。
これら各吊下げ紐部（２３）は、図４に示すように、各半クス玉基体（１）、（２）に２本ずつ取付けられ、クス玉（Ｘ）の中心軸（ｃ）に対して対称配置されている。
【００２６】
ストッパ部材（６）は、図１乃至図３、及び図５に示すように、各半クス玉基体（１）、（２）の下端に配置されている。このストッパ部材（６）は、図５及び図６に示すように、２本のストッパ針金（２７）及びストッパ筒部（２８）を備え、各ストッパ針金（２７）は各半クス玉基体（１）、（２）の開口側の下端に並設されている。また、各ストッパ針金（２７）は、図６に示すように、各半クス玉基体（１）、（２）の下端から下方側へ延設されている。
ストッパ筒部（２８）は、図５及び図６に示すように、両端開口の筒状に形成され、各半クス玉基体（１）、（２）の閉状態において、各ストッパ針金（２７）外側に嵌込まれている。
これにより、ストッパ部材（６）は、図５及び図６に示すように、閉状態にある各半クス玉基体（１）、（２）が左右に開くことを規制する。
【００２７】
引張り紐（７）は、図１乃至図３、及び図６に示すように、ストッパ部材（６）のストッパ筒部（２８）に取付けられている。
この引張り紐（２）の下端側は、各半クス玉基体（１）、（２）の下方に延設されている。
また、引張り紐（７）の上端側は、図２に示すように、各半クス玉基体（１）、（２）内に延設されており、左側の半クス玉基体（２）の上端内側に取付けられている。
【００２８】
装飾材（８）は、図１及び図２に示すように、複数の和紙花（３１）を備えている。複数の和紙花（３１）は、各クス玉基体（１）、（２）の全表面にわたって配置され、接着剤（糊）又は取付紐等により各クス玉基体（１）、（２）に取付けられている。
これら和紙花（３１）は、任意色に着色（白色、赤色、ピンク色、青色、緑色、黄色及びオレンジ色等）され、任意の色配列によって各半クス玉基体（１）、（２）に配置されている。
これにより、左右一対の半クス玉基体（１）、（２）は、図１及び図２に示すように、任意色に着色された複数の和紙花で装飾されて、クス玉（Ｘ）を構成している。
クス玉（Ｘ）は、各半クス玉基体（１）、（２）で形成される球状体の中空内に、垂幕、装飾テープ及び紙吹雪等（図示しない）を収納している。
【００２９】
複数の和紙花（３１）は、例えば和紙にビスコースレーヨンをラミネートした加工紙で構成される。この考案において加工紙は、前記したレーヨン加工紙が最も望ましいが例えば他の加工紙あるいは他の非加工の和紙であっても形の崩れが少ない和紙をもちいて作成するのが望ましい。
複数の和紙花（３１）は、ｉ）加工紙を任意色に着色する処理、ｉｉ）着色した加工紙を花弁状に成形する処理を経て作成される。
以下、加工紙を着色する処理、及び花弁状に成形する処理につて、図１０及び図１１を参照して説明する。
【００３０】
＜加工紙を着色する処理＞
図１０において、６０〜７０℃の湯水を染色浴（５１：容器）に入れ、湯水を攪拌しながら染料を溶解することで、水溶性の染料液とする。
染料は、レーヨン、セルロースを染色するのに適したレマゾール染料を用いるのが望ましい。
この考案においてレマゾール染料を使用する理由は、レマゾール染料は木綿、麻などのセルローズ系繊維を染色するために開発された反応染料で従来からの直接染料などに比べ、色相は鮮明で、かつ広範囲の色相を揃えており、染料が直接に繊維に化学結合するために各種の堅牢度が卓越しているからである。
染料濃度は、加工紙（５２）を着色する色の種類によって異なり、例えば、淡色で０．３パーセント（湯水１リットルに３ｇ）、濃色で３パーセント（湯水１リットルに３０ｇ）にすることが好ましい。但し、染料濃度は、加工紙（５２）を染色するとき、適宜調整する。
図１０において、染色浴（５１）の染料液（常温）に加工紙（５２：和紙及びビスコースレーヨン）を浸漬することで、着色する。着色した加工紙（５２Ａ）を染色浴（５１）から取出して絞ることで、余分な染料液を除去する。
続いて、影干しにて着色した加工紙（５２Ａ）を乾燥する。この着色処理によって、各種色に着色した加工紙（以下、着色済加工紙（５２Ａ）と称する）を得る。
【００３１】
＜花弁状に成形する処理＞
図１１において、和紙花の大きさに応じて、着色済加工紙（５２Ａ）を矩形状に形成（切断）する。矩形状の着色済加工紙（５２Ａ）を、所定の間隔毎に山折谷折に交互に折畳んで複数の波状形（凹凸形状）が連続する単位紙（５２Ｂ）とする。
続いて、複数の単位紙（５２Ｂ）を重ねて中央を結束紐（５３）により結束して結束部（５２Ｃ）を形成する。結束部（５２Ｃ）を中心に、両側にある単位紙部（５２ａ）を開紙することで、花弁状にする。
これにより、着色済加工紙（５２Ａ）から和紙花（３１）が作成される。
【００３２】
上記のように、和紙花をレーヨン加工紙で花弁状に形成すると、時間が経過しても、花弁状の形状を崩すことなく（和紙花全体が萎むことなく）、ふっくらとした花弁状を維持できる。
レーヨン加工紙をレマゾール染料液に浸漬して染色すると、常温、短時間で着色でき色むらが無い。
【００３３】
＜クス玉の開動作＞
クス玉（Ｘ）は、図１に示すように、使用状態において、吊下げ部材（５）の吊下げ紐輪部（２２）を設置柱等に引掛けて、吊下げ状態にする。
続いて、クス玉（Ｘ）の引張り紐（７）を、図１に示すように、各半クス玉基体（１）、（２）の下方側へ引張ると、ストッパ筒部（２８）は、図５及び図６に示す各半クス玉基体（１）、（２）のストッパ針金（２７）の夫々から外れる。
更に、引張り紐（７）を下方側へ引張ると、図２に示すように、引張り紐（７）は各半クス玉基体（１）、（２）の上端内側に取付けられているので、各半クス玉基体（１）、（２）はヒンジ（３）を中心として回転される。
左右一対の半クス玉基体（１）、（２）は、相互に離間するように、左右に向って夫々回転されて、クス玉（Ｘ）を開状態にする。
これにより、クス玉（Ｘ）は、各半クス玉基体（１）、（２）の中空内に収納した垂幕、装飾テープ及び紙吹雪を開放する。
【００３４】
本考案に係るクス玉（Ｘ）は、図１に示すように、複数の和紙花（３１：複数色の和紙花）によって装飾材（８）を構成している。
和紙花（３１）は例えば七色（赤、橙、黄、青、緑、藍、紫）の花にそれぞれ染め分け各色の花が左右上下に隣接しない色模様をクス玉（Ｘ）装飾とするなどの特色ある装飾材（８）とするあるいは赤又は黄色などの単一色又は赤青黄色などの少数色の組み合わせ模様とするなど任意の色模様クス玉（Ｘ）とすることもできる。
複数枚の装飾紙（金色紙、銀色紙等）によって各半クス玉基体（１）、（２）の表面（外面）を金色などに装飾しても豪華であり好ましい。
複数枚の装飾紙は、図８に示すように、骨組体（９）の各縦竹骨材（１２Ａ、１２Ｂ、１２Ｃ、・・・・）間に位置して、中心軸線（ａ）の延在方向（ｚ）に延設されている。各装飾紙は、各半クス玉基体（１）、（２）の外側補強紙（１３）上に接着剤（糊等）によって貼着されている。
これにより、複数枚の装飾紙は、各半クス玉基体（１）、（２）の表面全体（外側補強紙（１３）の表面全体）にわたって貼着され、各半クス玉基体（１）、（２）の表面を装飾する。
なお、各半クス玉基体（１）、（２）では、複数枚の装飾紙を外側補強紙（１３）の表面に貼着した後、複数の和紙花（３１）を取付けることもできる。
【産業上の利用可能性】
【００３５】
本考案は、左右一対の半クス玉基体を左右に開閉自在に構成したクス玉に好適で全体が軽量であるので中空内部に紙吹雪、垂幕、場合によっては生きた鳩を収納しておくことができクス玉使用時に紙吹雪や垂幕が出たり、場合によっては生きた鳩が飛び出したりなどと色々な趣向を凝らして楽しむことができるクス玉とすることができる。
【符号の説明】
【００３６】
１  半クス玉基体（右側）
２  半クス玉基体（左側）
３  ヒンジ（連結部材）
８  装飾材
１１Ａ〜１１Ｄ  環状竹骨材（竹骨材）
１２Ａ、１２Ｂ、１２Ｃ  縦竹骨材（竹骨材）
３１  和紙花
【図１】
0003163487.tif 000003
【図２】
0003163487.tif 000004
【図３】
0003163487.tif 000005
【図４】
0003163487.tif 000006
【図５】
0003163487.tif 000007
【図６】
0003163487.tif 000008
【図７】
0003163487.tif 000009
【図８】
0003163487.tif 000010
【図９】
0003163487.tif 000011
【図１０】
0003163487.tif 000012
【図１１】
0003163487.tif 000013